(57)【要約】【課題】ドレン水の凍結によってドレン穴が閉鎖されるのを防ぐことができる室外機のドレンパンを提供する。【解決手段】ドレンパン２は、ドレン水を排水するためのドレン穴３，４を有している。ドレン穴３，４は、底部２１の屈曲部２３，２４の断面において下方に凸を形成する２つの面の交わりにより形成される交線と交わるように設けられている。これにより、ドレン穴３，４においてドレン水の表面張力を壊すことができるので、ドレン水の水膜がドレン穴３，４に形成されにくくなる。【選択図】図４
2009287845.tif 000002
【特許請求の範囲】
【請求項１】
ドレン水を受けると共に、上記ドレン水を排水するためのドレン穴(３，４，２０４，３０４)を有する底部(２１，２２１，３２１)を備え、
上記ドレン穴(３，４，２０４，３０４)に、上記ドレン水の表面張力による水膜の形成を防止する水膜防止構造を含んでいることを特徴とする室外機のドレンパン。
【請求項２】
請求項１に記載の室外機のドレンパンにおいて、
上記水膜防止構造は、上記底部(２１)の断面において下方に凸を形成する２つの面の交わりにより形成される交線と交わるように設けられた上記ドレン穴(３，４)であることを特徴とする室外機のドレンパン。
【請求項３】
請求項１または２に記載の室外機のドレンパンにおいて、
上記水膜防止構造は、周縁に凹凸が設けられた上記ドレン穴(２０４)であることを特徴とする室外機のドレンパン。
【請求項４】
請求項１から３までのいずれか一項に記載の室外機のドレンパンにおいて、
上記水膜防止構造は、上記ドレン穴(３０４)の周縁部に塗布された親水性材料(３１０)であることを特徴とする室外機のドレンパン。
【発明の詳細な説明】
【技術分野】
【０００１】
本発明は、例えば、空気調和機、給湯装置および暖房給湯装置等に使用される室外機のドレンパンに関する。
【背景技術】
【０００２】
従来、室外機のドレンパンとしては、特開２００７−２４００９９号公報（特許文献１）に記載されたものがある。このドレンパンは熱交換器の下方に配置されている。上記熱交換器では凝縮水および除霜水（以下、「ドレン水」と言う。）が発生し、このドレン水が熱交換器をつたってドレンパンに流れ落ちる。このため、上記ドレンパンの底部に、ドレン水を排水するためのドレン穴を設けている。
【０００３】
上記ドレン穴には排水口が連なっている。この排水口は、ドレンパンの底部から下方に向かって突出している。また、上記排水口は、筒形状をし、先端面が水平面に対して斜めに傾斜している。これにより、上記排水口に入ったドレン水を、排水口の先端面の傾斜方向に沿って集約して滴下させる。
【０００４】
このように、上記従来のドレンパンでは、ドレン水を排水口の先端面の一箇所に集約して滴下させることによって、ドレン水が排水口内で滞留するのを防ぎ、滞留したドレン水が凍って排水口を塞がないようにしている。
【０００５】
ところで、例えば北欧等といった非常に寒い寒冷地において、従来のドレンパンを使用した場合、ドレン水の表面張力が高くなるため、その表面張力により、ドレン水の水膜がドレン穴に形成されてしまう。
【０００６】
したがって、上記寒冷地で従来のドレンパンを使用すると、ドレン穴に形成された水膜が凍ってドレン穴を塞ぐという問題が生じてしまう。
【特許文献１】特開２００７−２４００９９号公報（図５）
【発明の開示】
【発明が解決しようとする課題】
【０００７】
そこで、本発明の課題は、ドレン水の凍結によってドレン穴が閉鎖されるのを防ぐことができる室外機のドレンパンを提供することにある。
【課題を解決するための手段】
【０００８】
上記課題を解決するため、本発明の室外機のドレンパンは、
ドレン水を受けると共に、上記ドレン水を排水するためのドレン穴を有する底部を備え、
上記ドレン穴に、上記ドレン水の表面張力による水膜の形成を防止する水膜防止構造を含んでいることを特徴としている。
【０００９】
上記構成の室外機のドレンパンによれば、ドレン水を受けると共に、底部のドレン穴からそのドレン水を排水する。このドレン穴は、ドレン水の表面張力による水膜の形成を防止する水膜防止構造を含んでいるので、例えば北欧等のような非常に寒い寒冷地であっても、ドレン水の表面張力による膜はドレン穴に形成されにくい。
【００１０】
したがって、上記寒冷地であっても、ドレン水の水膜が凍ってドレン穴を閉鎖するのを防ぐことができる。
【００１１】
一実施形態の室外機のドレンパンでは、
上記水膜防止構造は、上記底部の断面において下方に凸を形成する２つの面の交わりにより形成される交線と交わるように設けられた上記ドレン穴である。
【００１２】
上記実施形態の室外機のドレンパンによれば、上記ドレン穴は、底部の断面において下方に凸を形成する２つの面の交わりにより形成される交線と交わるように設けられているので、ドレン穴においてドレン水の表面張力を壊すことができる。
【００１３】
一実施形態の室外機のドレンパンでは、
上記水膜防止構造は、周縁に凹凸が設けられた上記ドレン穴である。
【００１４】
上記実施形態の室外機のドレンパンによれば、上記ドレン穴の周縁に凹凸を設けているので、ドレン穴においてドレン水の表面張力を壊すことができる。
【００１５】
一実施形態の室外機のドレンパンでは、
上記水膜防止構造は、上記ドレン穴の周縁部に塗布された親水性材料である。
【００１６】
上記実施形態の室外機のドレンパンによれば、上記ドレン穴の周縁部に親水性材料を塗布しているので、ドレン水が水膜を形成する前に、ドレン水をドレン穴から排水できる。
【発明の効果】
【００１７】
本発明の室外機のドレンパンによれば、底部のドレン穴が、ドレン水の表面張力による水膜ができにくい構造を含んでいることによって、例えば北欧等のような非常に寒い寒冷地であっても、ドレン水の表面張力による膜はドレン穴に形成されにくいので、ドレン水の水膜が凍ってドレン穴を閉鎖するのを防ぐことができる。
【発明を実施するための最良の形態】
【００１８】
以下、本発明の室外機のドレンパンを図示の実施の形態により詳細に説明する。
【００１９】
図１は、本発明の一実施の形態のヒートポンプユニットの要部を上方から見た模式図である。
【００２０】
上記ヒートポンプユニットは、空気熱交換器１と、この空気熱交換器１の下方に配置されたドレンパン２とを備えている。この空気熱交換器１およびドレンパン２は、図示しないケーシング内に収容されている。また、上記ケーシング内には、冷媒を圧縮する圧縮機（図示せず）や、空気熱交換器１に外気を送る送風ファン（図示せず）が設置されている。
【００２１】
上記空気熱交換器１は、上面視で略Ｌ字形状を呈し、上記ケーシングの吸込口に対向している。上記送風ファンの駆動に伴い、吸込口からケーシング内に空気が流入し、この空気と空気熱交換器１が熱交換する。つまり、上記空気熱交換器１は空気中の熱を取り込む。
【００２２】
上記ドレンパン２は空気熱交換器１からのドレン水を受ける。また、上記ドレンパン２は、ドレン水を排水するためのドレン穴３，４を有している。このドレン穴３，４の一部のみが空気熱交換器１と重なっている。
【００２３】
図２は、上記ヒートポンプユニットの要部を側方から見た模式図である。
【００２４】
上記ドレンパン２の下方には水熱交換器５が配置されている。この水熱交換器５は、図示しない冷媒回路を介して空気熱交換器１に接続されている。また、上記水熱交換器５は、図示しない水回路にも接続されており、水回路内の水を加熱する。
【００２５】
上記水熱交換器５の下方にはドレンパン６が配置されている。このドレンパン６は、ドレン穴３，４と同一形状のドレン穴７，８を有している。
【００２６】
図３は、上記ドレンパン２を斜め上方から見た図である。また、図４は、上記ドレンパン２を上方から見た図である。
【００２７】
上記ドレンパン２は、図３，図４に示すように、底部２１と、この底部２１の周縁部に設けられて側壁２２とを有している。この底部２１の上面（空気熱交換器１側の表面）は凹凸面となっている。この凹凸面は、この凹凸面上のドレン水が自重でドレン穴３，４に流れるように形成されている。
【００２８】
図５は、図４中の円Ａ内を拡大した図である。また、図６は、図５のVI−VI線から見た模式断面図である。
【００２９】
上記ドレン穴４は、図５に示すように、ドレンパン２の底部２１の屈曲部２３に設けられている。この屈曲部２３は、図６に示すように、下方に突出する形状となっている。そして、上記屈曲部２３の上方側の屈曲角αは９５ｄｅｇ以下としている。このような屈曲部２３の断面において下方に凸を形成する２つの面の交わりにより形成される交線と交わるように、ドレン穴３が設けられている（図５参照）。なお、上記ドレン穴３も、ドレン穴４と同様に、ドレンパン２の底部２１の屈曲部２４に設けられている（図４参照）。
【００３０】
上記構成のドレンパン２は、空気熱交換器１で生じたドレン水を底部２１で受ける。そうすると、上記ドレン水は、底部２１の上面の凹凸面に案内されてドレン穴３，４に到達し、ドレン穴３，４から下方に滴下する。このとき、上記ドレン穴３，４は、底部２１の屈曲部２３，２４の断面において下方に凸を形成する２つの面の交わりにより形成される交線と交わるように設けられているので、ドレン穴３，４においてドレン水の表面張力を壊すことができる。この効果は、ドレン水の表面張力が高くなる例えば北欧等の寒冷地であっても得られる。
【００３１】
したがって、上記寒冷地であっても、ドレン水の表面張力による膜はドレン穴３，４に形成されにくく、ドレン水の水膜が凍ってドレン穴３，４を閉鎖するのを防ぐことができる。
【００３２】
上記実施の形態において、ドレンパン６のドレン穴７，８も、ドレン穴３，４と同様に、ドレンパン６の底部の屈曲部に設けてもよい。
【００３３】
上記ドレン穴７，８をドレンパン６の底部の屈曲部に設けた場合、ドレン水の水膜の凍結でドレン穴７，８が閉鎖されるのを防ぐことができる。
【００３４】
また、上記実施の形態において、ドレンパン２の代わりに、図７に示すようなドレンパン２０２を用いてもよい。このドレンパン２０２は、ドレン穴２０４が設けられた底部２２１を有している。また、図示しないが、上記底部２２１の上面は、ドレン水をドレン穴２０４へ案内する凹凸面となっている。
【００３５】
上記ドレン穴２０４は底部２２１の平坦部に設けられ、ドレン穴２０４の開口縁には全周にわたって上下に凹凸が形成されている。
【００３６】
図８は、図７のVIII−VIII線から見た模式断面図である。
【００３７】
上記凹凸は、ドレン穴２０４の周縁に沿って交互に形成された凸部２３１，凹部２３２から成っている。この凸部２３１は、鉛直方向と略平行な方向に向かって突出するように形成されている。また、上記凹部２３２は、鉛直方向と略平行な方向に向かって凹むように形成されている。
【００３８】
このようなドレンパン２０２であっても、ドレンパン２と同様の効果を奏する。つまり、上記ドレン穴２０４がドレン水の水膜の凍結によって閉鎖されるのを防ぐことができる。
【００３９】
上記ドレン穴２０４は底部２２１の平坦部に設けられているが、底部２２１の屈曲部に設けてもよい。
【００４０】
また、上記ドレン穴２０４は、ドレンパン２０２の底部２２１に１つ設けていたが、必要に応じて、ドレンパン２０２の底部２２１に複数設けてもよい。
【００４１】
また、上記ドレン穴２０４の形成位置は、ドレン穴３，４と同様に、ドレン穴２０４の一部のみが空気熱交換器１と重なるように設定してもよい。
【００４２】
また、上記実施の形態において、ドレンパン２の代わりに、図９に示すようなドレンパン３０２を用いてもよい。このドレンパン３０２は、ドレン穴３０４が設けられた底部３２１を有している。また、図示しないが、上記底部３２１の上面は、ドレン水をドレン穴３０４へ案内する凹凸面となっている。
【００４３】
上記ドレン穴３０４は底部３２１の平坦部に設けられ、ドレン穴２０４の開口縁の周りには親水性樹脂３１０が塗布されている。なお、上記親水性樹脂３１０は親水性材料の一例である。
【００４４】
上記親水性樹脂３１０としては、例えば、水酸基またはカルボキシル基を持ったポリマーがある。より具体的には、上記親水性樹脂３１０として、例えば、ポリビニルアルコール（ＰＶＡ）、ポリアクリル酸（ＰＡＡ）、ポリエチレン−アクリル酸（ＥＡＡ）等を用いることができる。
【００４５】
このようなドレンパン３０２であっても、ドレンパン２と同様の効果を奏する。つまり、上記ドレン穴３０４がドレン水の水膜の凍結によって閉鎖されるのを防ぐことができる。
【００４６】
上記ドレン穴３０４は底部３２１の平坦部に設けられているが、底部３２１の屈曲部に設けてもよい。
【００４７】
また、上記ドレン穴３０４は、ドレンパン３０２の底部３２１に１つ設けていたが、必要に応じて、ドレンパン３０２の底部３２１に複数設けてもよい。
【００４８】
また、上記ドレン穴３０４の形成位置は、ドレン穴３，４と同様に、ドレン穴３０４の一部のみが空気熱交換器１と重なるように設定してもよい。
【図面の簡単な説明】
【００４９】
【図１】図１は本発明の一実施の形態のヒートポンプユニットの要部の模式上面図である。
【図２】図２は上記ヒートポンプユニットの要部を側方から見た模式図である。
【図３】図３は上記ヒートポンプユニットのドレンパンの斜視図である。
【図４】図４は上記ドレンパンの上面図である。
【図５】図５は図４中の円Ａ内の拡大図である。
【図６】図６は図５のVI−VI線矢視の模式断面図である。
【図７】図７は上記ドレンパンの変形例の模式上面図である。
【図８】図８は図７のVIII−VIII線矢視の模式断面図である。
【図９】図９は上記ドレンパンの変形例の模式上面図である。
【符号の説明】
【００５０】
２，６，２０２，３０２  ドレンパン
３，４，２０４，３０４  ドレン穴
２１，２２１，３２１  底部
２３，２４  屈曲部
３１０  親水性樹脂
【図１】
2009287845.tif 000003
【図２】
2009287845.tif 000004
【図３】
2009287845.tif 000005
【図４】
2009287845.tif 000006
【図５】
2009287845.tif 000007
【図６】
2009287845.tif 000008
【図７】
2009287845.tif 000009
【図８】
2009287845.tif 000010
【図９】
2009287845.tif 000011